(57)【要約】フィルター掃除モジュール（１００）及び空気処理装置（１０００）であって、フィルター掃除モジュール（１００）は、掃除キャビティ（１０１）を有する掃除ボックス（１）と、フィルター（４００）上のごみを掃除するためのフィルター掃除体アセンブリ（３）と、動力源に接続されるフィルター掃除体駆動ギア（４）とを備える。掃除ボックスの側壁には軸穴（１０４）が設けられる。フィルター掃除体アセンブリは、掃除ボックスの対向する両側の壁の間に転動可能に接続され、フィルター掃除体アセンブリの端面に端部穴（３０１）が設けられる。掃除ボックスの外部に配置されたフィルター掃除体駆動ギアには、フィルター掃除体連結軸（４１０）が同軸に設置され、フィルター掃除体連結軸は、軸穴を貫通して端部穴内に挿入され、フィルター掃除体アセンブリと同期して回転する。【選択図】図３
2021511474.tif 000002
【特許請求の範囲】
【請求項１】
掃除キャビティを有し、壁に軸穴が設けられる掃除ボックスと、
前記掃除ボックスの対向する両側の壁の間に転動可能に接続され、フィルター上のごみを除去するために用いられ、少なくとも一端の端面に端部穴が設けられるフィルター掃除体アセンブリと、
前記掃除ボックスの外部に配置されて動力源に接続されるフィルター掃除体駆動ギアと、を備え、
前記フィルター掃除体駆動ギアにはフィルター掃除体連結軸が同軸に設けられ、前記フィルター掃除体連結軸は前記軸穴を貫通して前記端部穴内に挿入され、且つ前記フィルター掃除体アセンブリと同期して回転する、
ことを特徴とするフィルター掃除モジュール。
【請求項２】
前記フィルター掃除体連結軸には、前記端部穴に係止される弾性クリップが設けられる、
ことを特徴とする請求項１に記載のフィルター掃除モジュール。
【請求項３】
前記フィルター掃除体連結軸には、扁平部分が設けられ、前記端部穴は前記フィルター掃除体連結軸に合わせた形状に形成される、
ことを特徴とする請求項１又は２に記載のフィルター掃除モジュール。
【請求項４】
前記フィルター掃除体アセンブリは、
両端が前記掃除ボックスの対向する両側の壁の間に接続され、端面に前記端部穴が設けられるフィルター掃除体内軸と、
前記フィルター掃除体内軸の周壁に設けられ、前記フィルターと接触するフィルター掃除体と、を備える、
ことを特徴とする請求項１〜３のいずれか一項に記載のフィルター掃除モジュール。
【請求項５】
前記フィルター掃除体は、円筒状に形成され、且つ前記フィルター掃除体内軸に外嵌されるか、又は前記フィルター掃除体は、シート状から曲げられて前記フィルター掃除体内軸の周壁に巻き付けられる、
ことを特徴とする請求項４に記載のフィルター掃除モジュール。
【請求項６】
前記フィルター掃除体内軸は、
長尺状に形成され、内軸切欠部が設けられ、一端に結合軸が形成される内軸下部カバーと、
長尺状に形成され、前記内軸切欠部に被せられ、前記内軸下部カバーの他端と結合して前記端部穴を形成する内軸上部カバーとを備え、
前記フィルター掃除体連結軸が前記内軸下部カバー内に挿設されて前記内軸上部カバーに接続され、
前記掃除ボックスの対向する両側の壁にはいずれも軸穴が設けられ、そのうちの１つの前記軸穴には前記結合軸が挿入される、
ことを特徴とする請求項４又は５に記載のフィルター掃除モジュール。
【請求項７】
前記内軸上部カバーの長手方向の両端には、それぞれ回り止めブロックが設けられ、前記内軸切欠部の内壁には、対応する回り止め溝が設けられる、
ことを特徴とする請求項６に記載のフィルター掃除モジュール。
【請求項８】
前記掃除ボックスには入水口が設けられ、前記掃除ボックスの底部には、前記掃除キャビティと連通する出水口が設けられ、前記入水口は、前記フィルター掃除体アセンブリに向かって設けられ、及び／又は、前記フィルター掃除体アセンブリの少なくとも一部は、前記掃除キャビティ内に浸されている、
ことを特徴とする請求項１〜７のいずれか一項に記載のフィルター掃除モジュール。
【請求項９】
請求項１〜８のいずれか一項に記載のフィルター掃除モジュールを備える、
ことを特徴とする空気処理装置。
【請求項１０】
前記空気処理装置は空気調和機の室内機であり、前記フィルター掃除モジュールは前記空気調和機の室内機のベースに接続され、且つ前記フィルター掃除モジュールは前記空気調和機の室内機の水受け皿の上方に位置する、
ことを特徴とする請求項９に記載の空気処理装置。
【発明の詳細な説明】
【技術分野】
【０００１】
本出願は、出願番号が２０１８２２００９１３９．９、出願日が２０１８年１１月３０日の中国特許出願「フィルター掃除モジュール及び空気処理装置」に基づいて提供され、上記中国特許出願の優先権を主張し、それらの全内容が引用により本出願に組み込まれる。
【０００２】
本出願は、家電製品の技術分野に関し、具体的には、フィルター掃除モジュール及び空気処理装置である。
【背景技術】
【０００３】
空気調和機では、吸込口又は吹出口にフィルターを設置して濾過を行うことが多い。長期間使用すると、フィルターに塵埃がたまりやすくなり、フィルターを手動で取り外して手動で掃除すれば、時間と労力がかかり、フィルターアセンブリを傷つけやすい。
【０００４】
そのため、フィルター自動掃除アセンブリが設置された空気調和器が増えてきている。ブラシを転動させてフィルターの表面を掃除するものもあれば、溶液をシャワーしてフィルターの表面を掃除するものもある。しかしながら、ブラシで掃除する場合、ブラシ除塵機構は往々にして動作中前後に揺動し、動作の安定性が低く、且つブラシで長期間掃除した後にブラシの表面に毛屑が残りやすくなり、ブラシの掃除効率が低下する。溶液をシャワーして掃除する場合、溶液がフィルターの周りの部材に掛かりやすく、且つフィルターを掃除した後の汚水は再利用できず、水の消費量が多く、フィルターを掃除する際に死角が発生しやすい。
【発明の概要】
【０００５】
本出願の目的は、少なくとも関連技術における技術的課題の１つをある程度まで解決することである。
【０００６】
そのため、本出願の１つの目的は、安定した動作性能を持ち、揺動しにくく、フィルター掃除効果が高いフィルター掃除モジュールを提供することである。
【０００７】
本出願の別の目的は、上記フィルター掃除モジュールを備える空気処理装置を提供することである。
【０００８】
本出願の実施例に係るフィルター掃除モジュールは、掃除キャビティを有し、側壁に軸穴が設けられる掃除ボックスと、前記掃除ボックスの対向する両側の壁の間に転動可能に接続され、フィルター上のごみを除去するために用いられ、少なくとも一端の端面に端部穴が設けられるフィルター掃除体アセンブリと、前記掃除ボックスの外部に配置されて動力源に接続されるフィルター掃除体駆動ギアと、を備え、前記フィルター掃除体駆動ギアにはフィルター掃除体連結軸が同軸に設置され、前記フィルター掃除体連結軸は前記軸穴を貫通して前記端部穴内に挿入され、且つ前記フィルター掃除体アセンブリと同期して回転する。
【０００９】
本出願の実施例に係るフィルター掃除モジュールにおいて、フィルター掃除体アセンブリは、掃除ボックスに対して転動可能であり、フィルター掃除体アセンブリは、フィルターの異なる部分と接触して、フィルターを掃除する機能を実現することができ、転動時に掃除されたごみや塵埃は、掃除ボックスで収集でき、ほこりが少なくなる。掃除ボックスは、フィルター掃除体アセンブリのための全体的な接続位置を提供し、フィルター掃除体アセンブリは掃除ボックス内で転動する時に、固定された回転軸に沿って回転し、位置ずれ量が小さく、揺動しにくく、その掃除作用を発揮することに役立つ。フィルター掃除体駆動ギアは、掃除ボックスの外部に設置され、且つフィルター掃除体駆動ギアはフィルター掃除体アセンブリと別体に設置されるため，取り付けやすく、フィルター掃除体駆動ギアが掃除ボックスの内部に設置される場合、掃除作業時にフィルターを傷つけることを防止でき、また、掃除作業時にフィルター掃除体駆動ギアに塵埃がたまることを防止でき、フィルター掃除体駆動ギアの耐用年数を延ばす。
【００１０】
好ましくは、前記フィルター掃除体連結軸には、前記端部穴に係止される弾性クリップが設けられる。
【００１１】
好ましくは、前記フィルター掃除体連結軸には、扁平部分が設けられ、前記端部穴は前記フィルター掃除体連結軸に合わせた形状に形成される。
【００１２】
好ましくは、前記フィルター掃除体アセンブリは、両端が前記掃除ボックスの対向する両側の壁の間に接続され、端面に前記端部穴が設けられるフィルター掃除体内軸と、前記フィルター掃除体内軸の周壁に設けられ、前記フィルターと接触するためのフィルター掃除体とを備える。
【００１３】
好ましくは、前記フィルター掃除体は、円筒状に形成され、且つ前記フィルター掃除体内軸に外嵌されるか、又は前記フィルター掃除体は、シート状から曲げられて前記フィルター掃除体内軸の周壁に巻き付けられる。
【００１４】
好ましくは、前記フィルター掃除体内軸は、長尺状に形成され、内軸切欠部が設けられ、一端に結合軸が形成される内軸下部カバーと、長尺状に形成され、前記内軸切欠部に被せられ、前記内軸下部カバーの他端と嵌合して前記端部穴を形成する内軸上部カバーとを備え、前記フィルター掃除体連結軸は前記内軸下部カバー内に挿設されて前記内軸上部カバーに接続され、前記掃除ボックスの対向する両側の壁にはいずれも軸穴が設けられ、そのうち１つの前記軸穴には前記結合軸が挿入される。
【００１５】
好ましくは、前記内軸上部カバーの長手方向の両端には、それぞれ回り止めブロックが設けられ、前記内軸切欠部の内壁には、対応する回り止め溝が設けられる。
【００１６】
好ましくは、前記掃除ボックスには入水口が設けられ、前記掃除ボックスの底部には、前記掃除キャビティと連通する出水口が設けられ、前記入水口は、前記フィルター掃除体アセンブリに向かって設置され、及び／又は、前記フィルター掃除体アセンブリの少なくとも一部は、前記掃除キャビティ内に浸されている。
【００１７】
本出願の実施例に係る空気処理装置は、上記フィルター掃除モジュールを備える。
【００１８】
本出願の実施例に係る空気処理装置は、上記フィルター掃除モジュールが設けられることで、フィルター部材を掃除することができ、且つフィルター掃除モジュールは、掃除時に安定して動作し、位置ずれしにくく、外れにくく、フィルターに対して高い掃除効果を達成することができる。
【００１９】
好ましくは、前記空気処理装置は空気調和機の室内機であり、前記フィルター掃除モジュールは前記空気調和機の室内機のベースに接続され、且つ前記フィルター掃除モジュールは前記空気調和機の室内機の水受け皿の上方に位置する。
【００２０】
以下は、本出願の追加の態様や利点を説明するが、その一部は下記説明に明らかに説明されるか、或いは本出願の実施を通じて、解明される。
【図面の簡単な説明】
【００２１】
本出願の上記及び／又は追加の態様及び利点は、以下の図面を参照しながら実施例を説明することによって明らかで容易に理解できるようになる。
【００２２】
【図１】本出願の実施例に係るフィルター掃除モジュールの全体構造を示す概略図である。
【図２】本出願の実施例に係るフィルター掃除モジュールが取り付けられた空気処理装置の部分構造を示す概略図である。
【図３】本出願の実施例に係るフィルター掃除モジュールの分解構造を示す概略図である。
【図４】本出願の実施例に係るフィルター掃除体アセンブリとフィルターの組み合わせ構造を示す概略図である。
【図５】本出願の実施例に係るフィルター掃除体アセンブリとフィルター掃除体駆動ギアの全体構造を示す概略図である。
【図６】本出願の実施例に係るフィルター掃除体アセンブリとフィルター掃除体駆動ギアの分解構造を示す概略図である。
【図７】図５の概略縦断面図である。
【図８】本出願の実施例に係るフィルター掃除体アセンブリ、ローラーギア及び動力アセンブリの組み合わせ構造を示す概略図である。
【図９】本出願の実施例に係る掃除ボックスとフィルター掃除体アセンブリの組み合わせ構造を示す概略図である。
【図１０】本出願の実施例に係るローラーアセンブリの分解構造を示す概略図である。
【図１１】本出願の実施例に係るごみ濾過部材の全体構造を示す概略図である。
【図１２】本出願の実施例に係る除塵部材、ごみ濾過部材の全体構造を示す概略図である。
【発明を実施するための形態】
【００２３】
以下、本出願の実施例を詳細に説明し、前記実施例の例は、図面に示され、図面を通じて同じ又は類似した符号は、同じ又は類似した素子又は同じ又は類似した機能を有する素子を示す。以下、図面を参照しながら説明する実施例は、例示的なものであり、本発明を解釈するためのものにすぎず、本発明を制限するものとして理解すべきではない。
【００２４】
以下、図面を参照して本出願の実施例に係るフィルター掃除モジュール１００を詳細に説明する。
【００２５】
本出願の実施例に係るフィルター掃除モジュール１００は、掃除ボックス１、フィルター掃除体アセンブリ３及びフィルター掃除体駆動ギア４を備える。
【００２６】
ここで、図３、図１２に示すように、掃除ボックス１は、掃除キャビティ１０１を有し、掃除ボックス１の壁には軸穴１０４が設けられる。掃除キャビティ１０１は、一定の収容空間を有し、掃除用のアセンブリを収容し、且つ塵埃の飛散を遮断することができる。
【００２７】
図３〜図９に示すように、フィルター掃除体アセンブリ３は、掃除ボックス１の対向する両側の壁の間に転動可能に接続され、フィルター掃除体アセンブリ３は、フィルター４００上のごみを除去するために用いられ、フィルター掃除体アセンブリ３は、掃除キャビティ１０１内に配置されてもよく、掃除キャビティ１０１の上方に位置しても良い。転動運動するフィルター掃除体アセンブリ３が掃除する時に、それに付着した塵埃が遠心作用により外へ振り飛ばされることで、フィルター掃除体アセンブリ３は一定の自動掃除機能を有する。また、フィルター掃除体アセンブリ３の少なくとも一端の端面には、端部穴３０１が設けられる。すなわち、フィルター掃除体アセンブリ３の一端に端部穴３０１が設けられるか、又はフィルター掃除体アセンブリ３の軸方向両端に端部穴３０１が設けられる。
【００２８】
なお、明確に指定又は限定しない限り、「接続」及び以下に言及される「取付」、「連結」などの用語は、広義で理解すべきであり、たとえば、固定して接続してもよく、取り外し可能に接続してもよく、又は一体に接続してもよく、機械的に接続してもよく、或いは、電気的に接続してもよく、直接接続してもよく、中間媒体を介して間接的に接続してもよく、２つの要素の内部が連通してもよい。当業者であれば、具体的な状況に応じて上記用語の本出願における具体的な意味を理解し得る。
【００２９】
図３、図５〜図９に示すように、フィルター掃除体駆動ギア４は動力源に接続するように掃除ボックス１の外部に配置され、フィルター掃除体駆動ギア４には、フィルター掃除体連結軸４１０が同軸に設置され、フィルター掃除体連結軸４１０は、軸穴１０４を貫通して端部穴３０１内に挿入され、且つフィルター掃除体アセンブリ３と同期して回転する。動力源により駆動されると、フィルター掃除体駆動ギア４が回転し、且つ動力を順にフィルター掃除体連結軸４１０とフィルター掃除体アセンブリ３に伝達し、フィルター掃除体アセンブリ３の転動のための持続的な動力を提供する。
【００３０】
本出願の実施例に係るフィルター掃除モジュール１００において、掃除ボックス１は、フィルター掃除体アセンブリ３のための全体的な接続位置を提供し、フィルター掃除体アセンブリ３を効果的に位置決めし、且つフィルター掃除体アセンブリ３の運動を一定の空間内に制限し、フィルター掃除体アセンブリ３が掃除ボックス１内で転動する時に、固定された回転軸に沿って回転し、位置ずれ量が小さく、揺動しにくく、安定して動作でき、その掃除作用を安定して発揮することに役立つ。
【００３１】
フィルター掃除体アセンブリ３は、掃除ボックス１に対して転動可能であり、転動中に、その異なる部位がフィルター４００と接触することで、フィルター４００に対する全体的な掃除効果が向上する。
【００３２】
転動しているフィルター掃除体アセンブリ３が連続して回転する過程で、それに付着した塵埃に一定の遠心力を発生させ、フィルター４００から掃除された塵埃を掃除キャビティ１０１内に振り落とすことに役立つ。転動時に掃除されたごみや塵埃は、掃除ボックス１で収集でき、ほこりが立ちにくい。
【００３３】
フィルター掃除体駆動ギア４は、掃除ボックス１の外部に設置され、且つフィルター掃除体駆動ギア４はフィルター掃除体センブリ３と別体に設置されることで、取付時の利便性が向上する。また、フィルター掃除体駆動ギア４が外部に設置されるため、フィルター掃除体駆動ギア４が掃除ボックス１の内部に設置される場合、掃除作業時にフィルター４００を傷つけることを防止でき、また、掃除作業時にフィルター掃除体駆動ギア４に塵埃がたまることを防止でき、フィルター掃除体駆動ギアの耐用年数を延ばす。
【００３４】
なお、本出願の説明において、「縦方向」、「長さ」、「上」、「下」、「前」、「後」、「左」、「右」、「頂」、「底」、「内」、「外」、「軸方向」、「周方向」などのような用語により示される方位又は位置関係は、図面に示される方位又は位置関係に基づくものであり、本発明の説明及び説明の簡単化のためのものに過ぎず、示される装置又は要素が特定の方位を有したり、特定の方位で構成又は操作されたりすることを指示又は示唆するものではなく、よって、本発明を限定するものとして理解すべきではない。
【００３５】
本出願のいくつかの実施例では、図６、図７に示すように、フィルター掃除体連結軸４１０には、端部穴３０１に係止される弾性クリップ４１１が設けられる。この弾性クリップ４１１は、一定の弾性変形力を有し、弾性クリップ４１１は端部穴３０１に差し込むことも、端部穴３０１から抜き出すことも容易で、着脱しやすい。
【００３６】
本出願のいくつかの実施例では、図６、図７に示すように、フィルター掃除体連結軸４１０には、扁平部分４１２が設けられ、端部穴３０１はフィルター掃除体連結軸４１０に合わせた形状に形成される。扁平部分４１２の設置により、フィルター掃除体連結軸４１０と端部穴３０１との嵌合性を高め、且つフィルター掃除体連結軸４１０の位置決めをより良く達成し、フィルター掃除体連結軸４１０が端部穴３０１内で自ら回転するだけでフィルター掃除体アセンブリ３を連動させて回転させることができない状況を防止することができる。動力の伝達及びフィルター掃除体アセンブリ３の安定した回転に役立つ。
【００３７】
本出願のいくつかの例では、フィルター掃除体連結軸４１０には、上記弾性クリップ４１１と扁平部分４１２が同時に設けられ、扁平部分４１２を有するフィルター掃除体駆動ギア４が軸穴１０４と端部穴３０１から押し込まれると、弾性クリップ４１１がフィルター掃除体アセンブリ３の内部端面に挟み付けられることで、フィルター掃除体アセンブリ３の転動中の軸方向のずれが制限される。
【００３８】
本出願のいくつかの実施例では、図３〜図９に示すように、フィルター掃除体アセンブリ３は、フィルター掃除体内軸３１０とフィルター掃除体３２０を備える。
【００３９】
ここで、フィルター掃除体内軸３１０の両端は、掃除ボックス１の対向する両側の壁の間に接続され、端部穴３０１は、フィルター掃除体内軸３１０の端面に設けられる。
【００４０】
フィルター掃除体３２０は、フィルター掃除体内軸３１０の周壁に設けられ、フィルター掃除体３２０は、フィルター４００と接触するために用いられる。フィルター掃除体３２０は、フィルター４００と直接接触し、フィルター４００に対する良い掃除作用を果たすことができる。
【００４１】
有利には、フィルター掃除体３２０は、円筒状に形成され、且つフィルター掃除体３２０は、フィルター掃除体内軸３１０に外嵌される。円筒状のフィルター掃除体３２０は、フィルター掃除体内軸３１０と着脱しやすく、且つ交換しやすい。
【００４２】
有利には、フィルター掃除体３２０は、シート状に形成され、曲げられてフィルター掃除体内軸３１０の周壁に巻き付けられる。加工製造しやすく、組み立てられたフィルター掃除体３２０とフィルター掃除体内軸３１０の接続をより密にし、フィルター掃除体アセンブリ３の転動中にフィルター掃除体３２０がフィルター掃除体内軸３１０からずれることを防止することができる。
【００４３】
具体的には、好ましくは、フィルター掃除体３２０は、フィラメント繊維を有する織物であり、フィルター掃除体３２０とフィルター掃除体内軸３１０は、接着剤により一体に接続される。
【００４４】
好ましくは、フィルター掃除体３２０は、ファイバーを有する可撓性シリンダであってもよく、可撓性シリンダは、フィルター掃除体内軸３１０に外嵌される。
【００４５】
好ましくは、フィルター掃除体３２０は、表面に細かくて平らなブラシ毛を有する掃除部材であってもよい。
【００４６】
本出願のいくつかの実施例では、図６、図７に示すように、フィルター掃除体内軸３１０は、内軸下部カバー３１１と内軸上部カバー３１２を備える。ここで、内軸下部カバー３１１は長尺状に形成され、内軸下部カバー３１１には内軸切欠部３０２が設けられ、内軸下部カバー３１１の一端には結合軸３０４が形成される。それに対応して、内軸上部カバー３１２は長尺状に形成され、内軸上部カバー３１２は内軸切欠部３０２の箇所に設けられ、内軸上部カバー３１２と内軸下部カバー３１１の他端とが嵌合して端部穴３０１を形成する。フィルター掃除体連結軸４１０は、内軸下部カバー３１１内に挿設され、且つ内軸上部カバー３１２に接続される。長尺状の内軸下部カバー３１１と内軸上部カバー３１２は嵌合により一体となり、フィルター掃除体３２０を共同で支持する。
【００４７】
フィルター掃除体内軸３１０がフィルター掃除体３２０を支持してフィルター４００を掃除するには、大きな接線力と曲げモーメントを受ける必要があるため、フィルター掃除体内軸３１０の構造強度及び剛性を向上させる必要がある。フィルター掃除体内軸３１０が内軸下部カバー３１１と内軸上部カバー３１２に分割したため、両者を接続するだけでフィルター掃除体内軸３１０の構造強度及び剛性を向上させることができ、且つ内軸下部カバー３１１と内軸上部カバー３１２に補強リブなどの補強構造をさらに加工することは比較的容易である。また、別体に設計された内軸下部カバー３１１と内軸上部カバー３１２により、フィルター掃除体連結軸４１０を所望の位置に容易に係止でき、全体的な組立の信頼性に役立つ。
【００４８】
好ましくは、内軸下部カバー３１１と内軸上部カバー３１２は、係止穴又はねじなどの取り外し可能な接続方式により一体構造となる。
【００４９】
好ましくは、内軸下部カバー３１１と内軸上部カバー３１２は、溶接（超音波溶接など）、接着により一体となる。
【００５０】
好ましくは、図３に示すように、掃除ボックス１の対向する両側の壁には軸穴１０４が設けられ、そのうち一方の軸穴１０４には結合軸３０４が挿入され、他方の軸穴１０４にはフィルター掃除体連結軸４１０が嵌合して接続されることで、フィルター掃除体アセンブリ３を掃除ボックス１に安定して接続し、掃除作業時の揺動を防止することができる。
【００５１】
本出願のいくつかの有利な設計では、図６、図７に示すように、内軸上部カバー３１２の長手方向の両端には、それぞれ回り止めブロック３０５が設けられ、内軸切欠部３０２の内壁には、対応する回り止め溝３０３が設けられる。回り止めブロック３０５と回り止め溝３０３の嵌合により、内軸下部カバー３１１と内軸上部カバー３１２との位置決めをさらに向上させることができ、それにより、両者は組立後に回転しにくくなる。
【００５２】
本出願のいくつかの実施例では、図９、図１２に示すように、掃除ボックス１には、入水口１０５が設けられ、掃除ボックス１の底部には、掃除キャビティ１０１と連通する出水口１０６が設けられる。ここで、掃除液は、入水口１０５から注入され、出水口１０６から排出される。
【００５３】
好ましくは、入水口１０５は、フィルター掃除体アセンブリ３に向かって設置され、フィルター掃除体アセンブリ３は、掃除キャビティ１０１の上部に設けられる。この時、入水口１０５は、フィルター掃除体アセンブリ３の側面に位置合わせされ噴射することができ、それにより、フィルター掃除体アセンブリ３を濡らし、フィルター掃除体アセンブリ３上の塵埃を洗浄し、フィルター４００に対するフィルター掃除体アセンブリ３の掃除能力を向上させることができる。
【００５４】
好ましくは、入水口１０５は、掃除キャビティ１０１の上部に設けられ、フィルター掃除体アセンブリ３に向かってシャワーする。この時、入水口１０５中の水は上部からフィルター掃除体アセンブリ３にシャワーされ、清浄水が最初からフィルター掃除体アセンブリ３とフィルター４００との接触部位に送られることで、フィルター４００（フィルター４００を図４に示す）の掃除能力が大幅に向上する。
【００５５】
好ましくは、フィルター掃除体アセンブリ３の少なくとも一部は、掃除キャビティ１０１内に浸されている。フィルター掃除体アセンブリ３の一部が掃除キャビティ１０１内に浸漬された時、フィルター掃除体アセンブリ３上の汚水は、掃除キャビティ１０１内に良好に収まり、こぼれにくい。また、掃除キャビティ１０１内の水位がフィルター掃除体アセンブリ３まで上昇した時、水に浸漬されたフィルター掃除体アセンブリ３を再洗浄することができる。
【００５６】
好ましくは、入水口１０５は、フィルター掃除体アセンブリ３に向かって設置され、且つフィルター掃除体アセンブリ３は、掃除キャビティ１０１内に沈んでいる。フィルター掃除体アセンブリ３の頂部が水没するほど、掃除キャビティ１０１内の水位が高く上昇した時、フィルター掃除体アセンブリ３をあらゆる方向に洗浄することができる。
【００５７】
本出願のいくつかの実施例では、図３、図４、図１２に示すように、フィルター掃除体アセンブリ３の下部には、除塵部材５が設けられ、除塵部材５には、フィルター掃除体アセンブリ３と接触する歯板が設けられ、歯板には櫛歯５１が設けられ、除塵部材５の両端は掃除ボックス１に係止される。除塵部材５は、掃除ボックス１内の毛髪などのごみを梳き取って掃除キャビティ１０１に入れることができ、フィルター掃除体アセンブリ３の掃除効果を向上させる。
【００５８】
本出願のいくつかの実施例では、図１〜図４、図８、図１０に示すように、掃除ボックス１の上部の対向する両側の壁の間にローラーアセンブリ６が転動可能に接続され、ローラーアセンブリ６は、フィルター駆動ギア６１と可撓性接触駆動部６２を備え、フィルター駆動ギア６１は、フィルター４００と噛み合ってフィルター４００を連動させるために用いられ、可撓性接触駆動部６２は、フィルター４００と柔軟に接触してフィルター４００を連動させるために用いられる。可撓性接触駆動部６２は、フィルター４００に対して一定の支持、案内及び緩衝作用を果たし、フィルター４００が運動中に傷つけられることを防止し、フィルター４００が運動中にずれることを防止する。
【００５９】
図１、図２、図３、図８、図１０に示すように、ローラー駆動ギア２０３は掃除ボックス１に設けられ、ローラー駆動ギア２０３はローラーアセンブリ６に接続される。ローラー駆動ギア２０３は、ローラーアセンブリ６が転動できるように、フィルター駆動ギア６１及びローラーアセンブリ６全体に外部からの動力を伝達することができる。
【００６０】
有利には、可撓性接触駆動部６２は３０〜７０のショア硬度を有し、フィルター４００の安定した運動を保証し、運動中の異音を低減する。
【００６１】
好ましくは、図１０に示すように、ローラーアセンブリ６は、ローラー内軸６３を備え、ローラー内軸６３の端部には、フィルター駆動ギア６１が接続され、可撓性接触駆動部６２は、ローラー内軸６３に外嵌され、ローラー内軸６３の外周壁には回転制限溝６４１が設けられ、円筒状の可撓性接触駆動部６２の内周壁には回転制限突起６４２が設けられ、回転制限突起６４２は、回転制限溝６４１に挿嵌される。回転制限溝６４１と回転制限突起６４２は、回転制限構造６４を構成する。回転制限構造６４は、ローラー内軸６３と可撓性接触駆動部６２の組立位置の固定性を高め、ローラー内軸６３と可撓性接触駆動部６２の周方向のずれを防止する。
【００６２】
好ましくは、図１０に示すように、ローラー内軸６３は、中空円筒状に形成され、ローラー内軸６３の周壁の一部が内側に凹んで回転制限溝６４１を形成し、ローラー内軸６３の内周壁において回転制限溝６４１が形成された部分は内側突起６３１であり、フィルター駆動ギア６１には、ローラー内軸６３に挿入される挿着部６１１が設けられ、挿着部６１１は内側突起６３１に係止される。挿着部６１１と内側突起６３１の嵌合により、フィルター駆動ギア６１とローラー内軸６３との接続安定性を高め、両者を同期して回転させることができ，フィルター駆動ギア６１とローラー内軸６３の周方向のずれとフィルター駆動ギア６１の空転を防止する。
【００６３】
具体的には、図１０に示すように、挿着部６１１には挿入口６１２が軸方向に沿って設けられ、挿入口６１２は内側突起６３１に係止される。
【００６４】
好ましくは、図４に示すように、フィルター４００の底部には、フィルター駆動ギア６１と嵌合する筋状凸部４０１が設けられる。
【００６５】
それに対応して、図１０に示すように、可撓性接触駆動部６２には、複数の可撓性ローラーエッジ６２１が設けられ、可撓性ローラーエッジ６２１は、ローラーアセンブリ６の軸方向に延びて設置され、可撓性ローラーエッジ６２１はフィルター駆動ギア６１の歯と一対一に対応して設置される。これにより、フィルター４００がフィルター駆動ギア６１と可撓性接触駆動部６２により駆動されると、フィルター４００の筋状凸部４０１が可撓性ローラーエッジ６２１の間の溝に係止されることで、フィルター４００は、回転中に左右にずれず、且つフィルター４００は、ローラーアセンブリ６と同期して回転する。
【００６６】
図３に示すように、ローラーアセンブリ６の下部には、フィルター軌道６５が設けられ、フィルター軌道６５は、ローラーアセンブリ６の下部を半分包囲し、フィルター軌道６５は、弧状に形成され、フィルター軌道６５の中間部には、空隙と接触するくり抜き部があり、フィルター軌道６５は、フィルター４００が掃除後にすみやかに濾過位置に戻るように、フィルター４００の運動を案内することができる。くり抜き部の設計は、ローラーアセンブリ６の下部及び下部に回転したフィルター４００がフィルター掃除体アセンブリ３と良好な接触を形成することに役立ち、それにより、除塵を行うことに役立つ。
【００６７】
本出願のいくつかの実施例では、図３、図１１、図１２に示すように、掃除ボックス１内の掃除キャビティ１０１の内壁には固定位置が設けられ、ごみ濾過部材８は、除塵部材５の下部に配置され、ごみ濾過部材８には、出水口１０６に向かう水中のごみの流れを遮断するための格子板８１が設けられ、ごみ濾過部材８には係止部８３が設けられ、固定位置に係止されたる。ごみ濾過部材８は、フィルター掃除体アセンブリ３から洗い落とされた汚水中の毛髪などのごみを濾過して、ごみが出水口１０６を詰まらせることを防止することができる。
【００６８】
好ましくは、図１１に示すように、係止部８３は弾性係止具であり、ごみ濾過部材８の対向する両側には弾性係止具が設けられる。それに対応して、掃除キャビティ１０１の内壁には、係止部８３と嵌合する２つの固定位置が設けられる。弾性係止具は取り付けやすく、且つ一定の弾性復元力を有する。ごみ濾過部材８が掃除キャビティ１０１に取り付けられた後、弾性係止具の弾性力で掃除ボックス１の内壁に押し当たり、ごみ濾過部材８の揺動を効果的に防止する。
【００６９】
好ましくは、図１１に示すように、ごみ濾過部材８は、頂部案内板８２をさらに備え、頂部案内板８２は斜めに設置され、頂部案内板８２は格子板８１の上方に接続され、頂部案内板８２の周方向の４辺はいずれも掃除キャビティ１０１の内壁と接触して嵌合する。斜めに設置された頂部案内板８２は、フィルター掃除体アセンブリ３の洗浄後の汚水を導き、汚水を頂部案内板８２に沿って流下させ、汚水が掃除キャビティ１０１内に飛散することを防止することができる。
【００７０】
また、図１１に示すように、頂部案内板８２には、上下に貫通する通水穴８４が設けられる。通水穴８４は、汚水を頂部案内板８２から格子板８１に導入することができる。
【００７１】
好ましくは、図１１及び図１２に示すように、格子板８１は、屈曲して接続された３つの部分を含み、そのうち２つの部分は、頂部案内板８２の真下に配置され、且つごみ濾過部材８の底壁を構成し、格子板８１の３つの部分のうち、第３部分は、ごみ濾過部材８の底壁から上に屈曲して頂部案内板８２に接続される。ここで、底壁を構成する格子板８１の２つの部分は、互いの方向に向かって下向きにに延びており、出水口１０６は、底壁を構成する格子板８１の２つの部分の接続部位の下方に配置される。格子板８１により濾過された水は、出水口１０６に合流して排出される。
【００７２】
好ましくは、図１１に示すように、頂部案内板８２と格子板８１との間には複数の接続板８６が接続され、接続板８６には切欠部が設けられ、係止部８３は切欠部の内壁に接続される。接続板８６は、ごみ濾過部材８全体の構造強度を向上させ、過剰な汚水がごみ濾過部材８の側壁を直接通過することを防止する。
【００７３】
好ましくは、図１１及び図１２に示すように、ごみ濾過部材８の頂部と底部には、当接位置決めブロック８５がそれぞれ設けられ、頂部の当接位置決めブロック８５は、除塵部材５に当接し、底部の当接ブロック８５は、掃除ボックス１の内壁に当接する。
【００７４】
それに対応して、掃除ボックス１には、底部の２つの部分の格子板８１に適合する支持壁１０７が設けられ、底部の当接ブロック８５は支持壁１０７に当接する。
【００７５】
本出願のいくつかの実施例では、図１、図２、図３及び図８に示すように、動力源は掃除モーター２０１を使用し、掃除モーター２０１は第１伝動ギア７１を連動させて回転させ、第１伝動ギア７１は、第２伝動ギア７２を連動させて回転させ、第２伝動ギア７２は、フィルター掃除体駆動ギア４、ローラー駆動ギア２０３を同時にを連動させて回転させ、同時に、フィルター掃除体駆動ギア４は、フィルター掃除体連結軸４１０を介してフィルター掃除体アセンブリ３に動力を伝達し、フィルター掃除体アセンブリ３を回転させ、ローラー駆動ギア２０３は、フィルター駆動ギア６１を連動させて同軸回転させることで、可撓性接触駆動部６２などの部材を連動させて回転させ、且つフィルター４００もフィルター駆動ギア６１と可撓性接触駆動部６２を連動させて回転する。そのため、フィルター４００とフィルター掃除体アセンブリ３の接触面では、両者の接線速度は逆であり、フィルター掃除体アセンブリ３がフィルター４００をよりよく掃除することに役立つ。なお、「第１」、「第２」により限定される特徴は、１つ又は複数の該特徴を明示的に、あるいは黙示的に有してもよく、１つの特徴を別の特徴から区別するために用いられ、順序又は重要性を示すものではない。
【００７６】
当然のことながら、本出願では、他の中間伝動ギアを必要とすることなく、ローラー駆動ギア２０３とフィルター掃除体駆動ギア４をそれぞれ駆動するために、掃除モーター２０１が２つ別個に設けられてもよいが、ここで特に限定されない。
【００７７】
本出願の上記実施例では、動力アセンブリ２は、上記掃除モーター２０１とローラー駆動ギア２０３を備える。
【００７８】
好ましくは、図１、図２、図３に示すように、ギア保護カバー７は、掃除ボックス１の側部に設置され、動力アセンブリ２を密閉して、各ギアを閉じられた動作空間に配置することで、異物がギアに巻き込まれてギアの動作を妨害することが防止される。
【００７９】
本出願のいくつかの実施例では、図９に示すように、フィルター掃除モジュール１００は、給水管９１、水ポンプアセンブリ９２、出水制御弁９３及び排水管９４をさらに備え、ここで給水管９１の一端は、入水口１０５に接続され、給水管９１の他端は、水ポンプアセンブリ９２に接続され、水ポンプアセンブリ９２は、貯水容器から水を吸込んで、水を給水管９１から入水口１０５にポンピングするために用いられ、出水制御弁９３は、出水口１０６の開閉を制御するために用いられ、出水口１０６には排水管９１が接続され、排水管９１を介して貯水容器の排水口に排水する。
【００８０】
好ましくは、出水制御弁９３は排水管９１に接続され、出水制御弁９３の出水制御ポートは貯水容器の排水口に対向して設置される。
【００８１】
本出願の実施例に係る空気処理装置１０００は、上記フィルター掃除モジュール１００を備え、フィルター掃除モジュール１００の構造については説明を省略する。
【００８２】
フィルター掃除モジュール１００を備える空気処理装置１０００は、フィルターを洗浄でき、且つ洗浄作業時に安定して動作し、揺動せず、高い掃除効果を有する。
【００８３】
ここで、空気処理装置１０００は、空気調和機の室内機であってもよく、空気清浄器、又は濾過及び除塵機能を備えるフィルターが設けられた他の装置であってもよい。
【００８４】
図２に示すように、具体例では、空気処理装置１０００は空気調和機の室内機であり、フィルター掃除モジュール１００は空気調和機の室内機のベース２２０に接続され、且つフィルター掃除モジュール１００は空気調和機の室内機の水受け皿３００の上に位置する。
【００８５】
具体的には、図２に示すように、空気調和機の室内機のケーシング２００の頂部には吸込口２１０があり、フィルター４００は、吸込口２１０に移動可能に設置され、ケーシング２００は、熱交換器やファンを固定するためのベース２２０を備える。
【００８６】
図２に示すように、ベース２２０は、背板２２１及び底板２２２を備え、背板２２１は、上下方向に設置され、底板２２２は、背板２２１の底部の前側に接続され、水受け皿３００の後端は背板２２１に接続され、且つ側辺は底板２２２に接続され、フィルター掃除モジュール１００は、背板２２１と水受け皿３００にそれぞれ接続される。
【００８７】
フィルター掃除モジュール１００の底部は水ポンプアセンブリ９２であり、水ポンプアセンブリ９２は、水ポンプベース、水ポンプ吐出口及び水ポンプ吸込口を備え、ここでポンプ吸込口は、水ポンプベースの底部に設置され、水ポンプベースは、水受け皿３００の底部の内面と面一になり、水ポンプアセンブリ９２が水受け皿３００内の低い水位の水を吸込むことができることを保証する。水ポンプ吐出口は、給水管９１に接続される。排水管９４の底部は、水受け皿３００の排水口と位置合わせされ排水する。
【００８８】
本出願の２つの運動部材の運動の「同期」とは、２つの運動部材が単位時間当たりに一定の相対的な関係を有することを指し、変位の相対的な変化が一致してもよく、速度の相対的な変化が一貫してもよく、又は周波数の変化が一致してもよい。より具体的には、同軸の回転部材の「同期回転」とは、２つの移動部材の回転方向が同じで、回転の角速度が同じで、且つ両者の回転開始時間、回転停止時間が同じであることを指す。
【００８９】
本出願の実施例の解決手段をよりよく理解するために、以下、図１〜図１２を参照して本出願の具体的な実施例におけるフィルター掃除モジュール１００の構造を説明する。
【００９０】
図３に示すように、フィルター掃除モジュール１００は、掃除ボックス１、動力アセンブリ２、フィルター掃除体アセンブリ３、フィルター掃除体駆動ギア４、除塵部材５、ローラーアセンブリ６、ギア保護カバー７、ごみ濾過部材８、給水管９１、水ポンプアセンブリ９２、出水制御弁９３及び排水管９４を備える。
【００９１】
具体的には、図３、図９、図１２に示すように、掃除ボックス１は、上端が開口された掃除キャビティ１０１を有し、掃除ボックス１の壁には軸穴１０４が設けられ、掃除ボックス１の上部において軸穴１０４よりも高い位置には入水口１０５が設けられ、掃除ボックス１の下端には支持壁１０７が設けられ、支持壁１０７には下向きの出水口１０６が形成される。
【００９２】
図１〜図４、図８、図１０に示すように、掃除ボックス１の上部の対向する両側の壁には、ローラーアセンブリ６が転動可能に接続され、ローラーアセンブリ６は、フィルター駆動ギア６１、可撓性接触駆動部６２及びローラー内軸６３を備える。ここで、ローラー内軸６３の端部には、フィルター駆動ギア６１がそれぞれ接続され、可撓性接触駆動部６２は、ローラー内軸６３に外嵌され、ローラー内軸６３の外周壁には回転制限溝６４１が設けられ、円筒状の可撓性接触駆動部６２の内周壁には回転制限突起６４２が設けられ、回転制限突起６４２は、回転制限溝６４１に挿嵌される。フィルター駆動ギア６１は、フィルター４００と噛み合ってフィルター４００を連動させるために用いられ、可撓性接触駆動部６２は、フィルター４００と柔軟に接触してフィルター４００を連動させるために用いられる。フィルター４００の底部には、フィルター駆動ギア６１及び可撓性接触駆動部６２と嵌合する筋状凸部４０１が設けられる。図３に示すように、ローラーアセンブリ６の下部にはフィルター軌道６５が設けられ、フィルター軌道６５はローラーアセンブリ６の下部を半分包囲する。
【００９３】
図３〜図９に示すように、フィルター掃除体アセンブリ３は、掃除ボックス１の対向する両側の壁の間に転動可能に接続され、フィルター掃除体アセンブリ３は、フィルター４００上のごみを除去するために用いられ、フィルター掃除体アセンブリ３は、フィルター掃除体内軸３１０とフィルター掃除体３２０を備える。フィルター掃除体３２０は、フィルター掃除体内軸３１０の周壁に設けられ、フィルター掃除体３２０は、フィルター４００と接触してフィルター４００を掃除するために用いられる。フィルター掃除体内軸３１０は、一体に係止され、且つボルトで接続された内軸下部カバー３１１と内軸上部カバー３１２を備える。内軸下部カバー３１１の一端には結合軸３０４が形成され、内軸下部カバー３１１の他端は内軸上部カバー３１２と嵌合して端部穴３０１を形成し、結合軸３０４は１つの軸穴１０４に挿入される。
【００９４】
図３、図５〜図９に示すように、フィルター掃除体駆動ギア４は動力源に接続するように掃除ボックス１の外部に配置され、フィルター掃除体駆動ギア４には、フィルター掃除体連結軸４１０が同軸に設置され、フィルター掃除体連結軸４１０は、別の軸穴１０４を貫通して端部穴３０１内に挿入され、且つフィルター掃除体アセンブリ３と同期して回転する。
【００９５】
図３、図４、図１２に示すように、フィルター掃除体アセンブリ３の下部には、除塵部材５が設けられ、除塵部材５には、フィルター掃除体アセンブリ３と接触する歯板が設けられ、歯板には櫛歯５１が設けられ、除塵部材５の両端は掃除ボックス１内に係止される。
【００９６】
図３、図１１、図１２に示すように、掃除ボックス１内の掃除キャビティ１０１の内壁には固定位置が設けられ、ごみ濾過部材８は、除塵部材５の下部に配置され、ごみ濾過部材８には、出水口１０６に向かう水中のごみの流れを遮断するための格子板８１が設けられ、ごみ濾過部材８には係止部８３が設けられ、固定位置に係止され、ごみ濾過部材８の最低部位は、出水口１０６に位置合わせされている。ごみ濾過部材８の上部には、除塵部材５に当接する当接位置決めブロック８５が設けられ、ごみ濾過部材８の下部には、支持壁１０７に当接する当接位置決めブロック８５が設けられる。
【００９７】
図８に示すように、動力アセンブリ２は、掃除モーター２０１、ローラー駆動ギア２０３、及び伝動駆動するための第１伝動ギア７１と第２伝動ギア７２を備え、掃除モーター２０１は、第１伝動ギア７１の回転を駆動し、第１伝動ギア７１は、第２伝動ギア７２を連動させて回転させ、第２伝動ギア７２は、フィルター掃除体駆動ギア４とローラー駆動ギア２０３を同時を連動させて回転させる。
【００９８】
図１、図２、図３に示すように、ギア保護カバー７は、掃除ボックス１の側部に設置され、動力アセンブリ２を特定の空間内に密閉する。
【００９９】
図９に示すように、給水管９１の一端は、入水口１０５に接続され、給水管９１の他端は、水ポンプアセンブリ９２に接続され、水ポンプアセンブリ９２は、貯水容器から水を吸込んで、水を給水管９１から入水口１０５にポンピングするために用いられ、出水制御弁９３は、出水口１０６の開閉を制御するために用いられ、出水口１０６には排水管９１が接続され、排水管９１を介して貯水容器の排水口に排水する。
【０１００】
図２に示すように、空気処理装置１０００は、空気調和機の室内機を例とすると、空気調和機の室内機は、ケーシング２００を備え、ケーシング２００の頂部には吸込口２１０が設けられ、吸込口２１０には運動可能なフィルター４００が設けられる。ケーシング２００は、背板２２１及び底板２２２で構成されたベース２２０をさらに備え、背板２２１は、上下方向に設置され、底板２２２は、背板２２１の底部の前側に接続され、水受け皿３００の後端は背板２２１に接続され、且つ側辺は底板２２２に接続され、フィルター掃除モジュール１００は、背板２２１と水受け皿３００にそれぞれ接続され、フィルター掃除モジュール１００の頂部のローラーアセンブリ６は、フィルター４００と位置合わせされている。
【０１０１】
掃除作業時、動力アセンブリ２は、ローラー駆動ギア２０３とフィルター掃除体駆動ギア４を伝動駆動して回転させ、ローラー駆動ギア２０３は、ローラーアセンブリ６を連動させて回転させ、フィルター掃除体駆動ギア４は、フィルター掃除体アセンブリ３を連動させて回転させ、フィルター４００は、ローラーアセンブリ６とともに回転し、且つ回転しているフィルターアセンブリ３と回転接触面を形成し、フィルター４００は、ローラーアセンブリ６の表面上で回転し、且つフィルター軌道６５内で伝送される。フィルター掃除体アセンブリ３は、フィルター４００上の塵埃をその表面にこすりつけ、回転中に、除塵部材５が表面のごみや毛髪を掻き落す。
【０１０２】
同時に、水ポンプアセンブリ９２は、水受け皿３００から水を吸込んで、水を給水管９１から入水口１０５にポンピングし、フィルター掃除体アセンブリ３の表面が濡らされて掃除され、掃除後の汚水は、除塵部材５中のごみ及び毛髪をごみ濾過部材８に運び、毛髪は、ごみ濾過部材８に残されるが、汚水は、出水口１０６から排水管９４に向かって排出され、さらに水受け皿３００の排水口に位置合わせされた排水管９４を介して、空気調和機の外部に排出される。
【０１０３】
フィルター４００をリセットする必要がある場合、動力アセンブリ２における掃除モーター１０１は逆回転を行い、フィルター４００を掃除と逆の方向に動かせばよい。
【０１０４】
本明細書の説明において、「実施例」、「例」などの用語を参照した説明は該実施例又は例と組み合わせて説明されている具体的な特徴、構造、材料又は特性が本出願の少なくとも１つの実施例又は例に含まれることを意味する。本明細書において、上記用語の例示的な表現は、必ずしも同じ実施例又は例を意味するわけではない。さらに、説明された特定の特徴、構造、材料又は特性が、任意の１つ又は複数の実施例又は例においては適切な組み合わせで一体化されていてもよい。
【０１０５】
なお、以上では本出願の実施例を例示して説明したが、当業者であれば、本出願の原理及び趣旨から逸脱することなく、これらの実施例に対して変更、修正、置換や変形を行うことができ、本出願の範囲が特許請求の範囲及びその均等物により定義されることを理解できる。
【符号の説明】
【０１０６】
１０００  空気処理装置、１００  フィルター掃除モジュール、１  掃除ボックス、１０１  掃除キャビティ、１０４  軸穴、１０５  入水口、１０６  出水口、１０７  支持壁、２  動力アセンブリ、２０１  掃除モーター、２０３  ローラー駆動ギア、３  フィルター掃除体アセンブリ、３０１  端部穴、３０２  内軸切欠部、３０３  回り止め溝、３０４  結合軸、３０５  回り止めブロック、３１０  フィルター掃除体内軸、３１１  内軸下部カバー、３１２  内軸上部カバー、３２０  フィルター掃除体、４  フィルター掃除体駆動ギア、４１０  フィルター掃除体連結軸、４１１  弾性クリップ、４１２  扁平部分、５  除塵部材、５１  櫛歯、６  ローラーアセンブリ、６１  フィルター駆動ギア、６１１  挿着部、６１２  挿入口、６２  可撓性接触駆動部、６２１  可撓性ローラーエッジ、６３  ローラー内軸、６３１  内側突起、６４  回転制限構造、６４１  回転制限溝、６４２  回転制限突起、６５  フィルター軌道、７  ギア保護カバー、７１  第１伝動ギア、７２  第２伝動ギア、８  ごみ濾過部材、８１  格子板、８２  頂部案内板、８３  係止部、８４  通水穴、８５  当接位置決めブロック、８６  接続板、９１  給水管、９２  水ポンプアセンブリ、９３  出水制御弁、９４  排水管、２００  ケーシング、２１０  吸込口、２２０  ベース、２２１  背板、２２２  底板、３００  水受け皿、４００  フィルター、４０１  筋状凸部。
【図１】
2021511474.tif 000003
【図２】
2021511474.tif 000004
【図３】
2021511474.tif 000005
【図４】
2021511474.tif 000006
【図５】
2021511474.tif 000007
【図６】
2021511474.tif 000008
【図７】
2021511474.tif 000009
【図８】
2021511474.tif 000010
【図９】
2021511474.tif 000011
【図１０】
2021511474.tif 000012
【図１１】
2021511474.tif 000013
【図１２】
2021511474.tif 000014
【国際調査報告】
2021511474.tif 000015
2021511474.tif 000016
2021511474.tif 000017
2021511474.tif 000018
2021511474.tif 000019